(57)【要約】【課題】冷蔵室など比較的広い貯蔵室の棚上に多くの食品が載置された場合でも、少ない半導体発光素子の使用個数で、必要に応じて室内照明装置を移動して収納食品を前方から照明し、容易に視認できるようにした冷蔵庫を提供する。【解決手段】半導体発光素子17を基板16に固着した室内照明装置15とこの照明装置の下面を覆うように配置したシェード20とを貯蔵室内壁の天井面３ａに配置し、少なくとも前記照明装置15を前記貯蔵室天井面３ａに対して前後方向に移動可能に設置したことを特徴とする。【選択図】図２
2007285632.tif 000002
【特許請求の範囲】
【請求項１】
半導体発光素子を基板に固着した室内照明装置とこの照明装置の下面を覆うように配置したシェードとを貯蔵室内壁の天井面に配置し、少なくとも前記照明装置を前記貯蔵室天井面に対して前後方向に移動可能に設置したことを特徴とする冷蔵庫。
【請求項２】
照明装置を板状で両側縁に係合部を形成したベース部材に係止し、前記ベース部材の係合部を貯蔵室天井面に取り付けたシェードに形成したレールに摺動可能に係合させるようにしたことを特徴とする請求項１記載の冷蔵庫。
【請求項３】
照明装置とシェードとを実質的に一体に結合し、板状で両側縁を係合部としたシェードと貯蔵室天井面に設けたレール部材との係合によって照明装置とシェードとを前後摺動可能に配設したことを特徴とする請求項１記載の冷蔵庫。
【請求項４】
レール部内を摺動する照明装置の移動量は、貯蔵室天井面の前後方向のほぼ中央部から室内載置棚の前端より前方に亙る範囲としたことを特徴とする請求項２または３記載の冷蔵庫。
【請求項５】
レール部内を摺動するベース部材あるいはシェードに対して照明装置の基板を所定角度後部が高くなるように傾斜させ、点灯の際の光の照射角が下部後方に傾くようにしたことを特徴とする請求項２または３記載の冷蔵庫。
【請求項６】
レール部内を摺動するベース部材あるいはシェードの下面から冷蔵室内に突出する摘み部を設けたことを特徴とする請求項２または３記載の冷蔵庫。
【請求項７】
照明装置を貯蔵室天井面に形成した凹陥部内に配置し、この凹陥部の室内側をシェードあるいは飾り板によって天井面と同一面となるように覆うとともに、貯蔵室内への冷気ダクトの天井部前端に凹陥部を隣接して、吹き出し冷気が凹陥部内を流通するようにしたことを特徴とする請求項２または３記載の冷蔵庫。
【発明の詳細な説明】
【技術分野】
【０００１】
本発明は、半導体発光素子による貯蔵室内照明装置を配設した冷蔵庫に関する。
【背景技術】
【０００２】
従来、冷蔵庫における貯蔵室内照明装置としては、取り付け器具に白熱球やキセノンガスを封入した白色ランプ球などの電球が使用されていた。この照明装置は、図７に示すごとく、貯蔵室天井部（53ａ）に電球（57）とそのソケット（56）、および電球からの光の拡散と同時に使用者が不用意に電球に触れて火傷などをすることがないようにシェード（60）を設けており、冷蔵庫のドアの開閉と連動して点灯するように構成されている。
【０００３】
そして、使用者が冷蔵庫のドアを開放したときのみ点灯して電球（57）から照射された光によって室内の食品を視認することができるものであるが、電球（57）は照明装置としての光と同時に大量の熱を放出することから、熱影響を防いでその周囲部品を保護するために、電球（57）の周囲には一定の空間を設ける必要があり、その空間容積分がデッドスペースになるだけでなく、発生する熱の影響で貯蔵室内の食品が劣化する問題があった。
【０００４】
これに対して、特許文献１には、冷蔵庫内の照明装置として電球の代わりに白色の発光ダイオード（以下、ＬＥＤという。）を用い、発熱を庫外に放熱して冷却効率の向上をはかった構成が提案されている。
【特許文献１】特開平１１−１５９９５３号公報
【発明の開示】
【発明が解決しようとする課題】
【０００５】
しかしながら、前記特許文献１に記載されている構成は、多数の半導体発光素子である白色ＬＥＤを実装基板上にマトリクス状に並設されたものであり、個々には小形で発熱量が少ない特性を有するとはいえ、使用個数が多数であることから、容積効率向上の効果は損なわれ、また、多数使用することから生じる発熱量の抑制についても庫外への放熱構造を必要とする煩雑があった。
【０００６】
そして、少ないＬＥＤの使用個数で冷蔵室など比較的大きな室内を照明すると、照明装置は天井面に固定されていることから、特に最上部の棚上に多くの食品を載置している場合は、ＬＥＤからの光が最上部の食品に遮られて前方や下方に届かず、使用者が視認できない不都合を生じていた。
【０００７】
本発明は上記点を考慮してなされたもので、冷蔵室など比較的広い貯蔵室の棚上に多くの食品が載置された場合でも、少ない半導体発光素子の使用個数で、必要に応じて室内照明装置を移動して収納食品を前方から照明し、容易に視認できるようにした冷蔵庫を提供することを目的とする。
【課題を解決するための手段】
【０００８】
上記課題を解決するため、本発明による冷蔵庫は、半導体発光素子を基板に固着した室内照明装置とこの照明装置の下面を覆うように配置したシェードとを貯蔵室内壁の天井面に配置し、少なくとも前記照明装置を前記貯蔵室天井面に対して前後方向に移動可能に設置したことを特徴とするものである。
【発明の効果】
【０００９】
本発明によれば、通常は照明装置を貯蔵室天井面の中央部に設置して庫内全体を照明し、収納食品の量が多い際には照明装置を手前側に引き出すことで室内を前方から照らすことができ、収納食品を容易に、且つ、効果的に視認することが可能となるため、使い勝手を向上させることができる。
【発明を実施するための最良の形態】
【００１０】
以下、図面に基づき本発明の１実施形態について説明する。図１にその概略縦断面図を示す冷蔵庫本体（１）は、断熱箱体（２）内の最上部に冷蔵食品を収納貯蔵する冷蔵室（３）を設け、その下部に温度切替室（４）と図示しない製氷室を併設し、さらに下方に、野菜室（５）、冷凍室（６）などの所定の貯蔵温度に沿った貯蔵室を配置し、前記冷蔵室（３）の前面開口には、本体一側に設けたヒンジによって開閉可能とした回転扉（７）を取り付けるとともに、下方における温度切替室（４）ほかのそれぞれの貯蔵室の前面開口には引き出し方式の扉（８）（９）（10）を配設している。
【００１１】
冷蔵室（３）は、本体内の野菜室（５）の背面に設けた冷却器（11）で生成した冷気を、図示しないファンによりダクト（12）を介して室内に吹き出し冷却する構成であり、冷蔵庫における貯蔵室として最も大きな収納スペースを保有しているとともに、室内には複数段の載置棚（13）（14）を設けて貯蔵品の収納空間を形成し、天井面（３ａ）には、室内を照明する照明装置（15）を設置している。
【００１２】
照明装置（15）は、図２に図１の要部の断面図、図３に同斜視図を示すように、前面開口部に近い冷蔵室（３）の天井面（３ａ）に断熱材側へわずかに窪ませた矩形の凹陥部（18）内に収納されるものであり、矩形の板状体からなる実装基板（16）とこの実装基板（16）の下面に固着した半導体発光素子からなる高輝度タイプのチップ型白色ＬＥＤ（17）とで形成されている。
【００１３】
前記白色ＬＥＤ（17）は、低電圧、小電力で十分な輝度が得られ、電流によって簡単に輝度制御ができるとともに応答速度が速く、且つ発光が安定して長寿命である特性を有するものであり、本実施例では使用個数を１個としたが、これに限らず、照明装置（15）を冷蔵室（３）の幅方向に拡げて、２個乃至複数個取着するようにしてもよい。
【００１４】
前記照明装置（15）の実装基板（16）は、図３および図２の拡大図である図４で理解されるように、樹脂板製ベース部材（19）の表面隅部に突設した係止リブ（19ａ）の係合溝（19ｂ）に一方向からの摺動挿入による係止部（16ａ）の係合により固定されており、ベース部材（19）は、前記白色ＬＥＤ（17）に対応する面を大きく切除した開口（19ｃ）を設けるとともに、前記凹陥部（18）の冷蔵室内側開口を隙間なく覆うシェード（20）に設けられたレール（21）によって、摺動可能に保持されている。
【００１５】
高輝度タイプのＬＥＤ（17）は、光源が目に入ると非常にまぶしく、目を痛めるため、前記凹陥部（18）を覆うシェード（20）は冷蔵室天井面（３ａ）とほぼ同一高さになるように設け、冷蔵室扉（７）を開扉した場合には、凹陥部（18）の前壁やシェード（20）により、使用者が前記ＬＥＤ（17）を直接目視することのない位置に配置させ、少なくともシェード（20）によって拡散した輝部の光が目に入る程度にして、まぶしさを与えないようにしている。
【００１６】
シェード（20）は、白色ＬＥＤ（17）からの光を適度に乱反射させながら効率よく拡散して冷蔵室（３）内へ取り込み照明するものであって、着色したり、シボ加工を施すことで表面に凹凸部を設けた透明性の高いアクリル樹脂などの樹脂体を周縁に上方への鍔部（20ａ）を有して皿状に形成し、前記鍔部（20ａ）の適宜の箇所に形成した係止爪（20ｂ）を凹陥部（18）に形成した図示しない係止孔に係合させることで天井面（３ａ）に着脱自在に取り付けている。
【００１７】
シェード（20）の両側縁に形成された前記レール（21）は、内方に開口するレール溝（21ａ）を冷蔵室天井面（３ａ）の奥行き寸法のほぼ中央部から前記載置棚（13）の前方部分に至る範囲の前後に亙って設けており、このレール溝（21ａ）内に前記照明装置（15）を保持しているベース部材（19）の両側縁を挿入し摺動可能にしている。
【００１８】
そして、前記ベース部材（19）の前端部における下面部には摘み部（22）を下方に突出させて設けており、使用者がこの摘み部（22）を摘んでベース部材（19）を前後に摺動できるように、シェード（20）には、前記摘み部（22）の軸が移動するための長孔（23）を前後に亙って穿設している。
【００１９】
前記照明具の本体への組み込みに当たっては、冷蔵庫本体（１）の下方部に配設した電源部から断熱壁を通り天井面（３ａ）から冷蔵室（３）内に引き出されたケーブル（24）と白色ＬＥＤ（17）および実装基板（16）からなる照明装置（15）とを凹陥部（18）内で接続するとともに、この照明装置（15）の実装基板（16）の端縁をベース部材（19）の係止リブの係合溝（19ｂ）に係合して固定する。
【００２０】
次に、照明装置（15）を固定したベース部材（19）の側端縁をシェード（20）の後端からレール（21）に係合させ、レール溝（21ａ）内を前方に摺動させて所定位置に保持し、次いで、前記シェード（20）の長孔（23）を介して下方から摘み部（22）をベース部材（19）にネジ止めなどで固着するものである。
【００２１】
前記照明装置（15）は、冷蔵室扉（７）のドアスイッチと連動して、扉（７）が開放されたときには、前記白色ＬＥＤ（17）を点灯させるものであり、照明装置（15）を保持する位置は、通常には冷蔵室（３）の奥行き寸法のほぼ中央部分としている。これは冷蔵室（３）内における食品収納量が通常状態であれば、室内の中央上部から照明する方が、室内を満遍なく照らすことができるためである。
【００２２】
さらに、ベース部材（19）における各係止リブ（19ａ）の上方への突出高さは前部よりも後部を高くしており、これにともなって、その係合溝（19ｂ）の高さ位置も前部よりも後部を所定寸法高くしているので、ベース部材（19）上に取り付けた照明装置（15）の実装基板（16）は後方が高くなる傾斜状態で取り付くことになり、このため、白色ＬＥＤ（17）から発する光は、ベース基板（19）の開口（19ｃ）を透過してシェード（20）で拡散し、載置棚（13）を上部前方から照らすようになる。
【００２３】
特に、照明装置（15）を前記レール（21）に沿って前方の停止位置まで引き出した際には、白色ＬＥＤ（17）から発する光は、上下の載置棚（13）（14）を上部前方から照明するように配設する。
【００２４】
これは、通常時に比して冷蔵室（３）内の食品量が多くなった場合、特に最上部の載置棚（13）上に隙間なく食品が載置されたような場合は、照明光が載置物で遮られるため下段の棚（14）上の載置物に光が届かず、どうしても食品ラベルなどが見にくくなる不具合を生じることになるが、このようなときには上記のように、摘み部（22）を摘んで照明装置（15）を前部に移動させることで室内を前方から照らすことができるものであり、各棚（13）上の食品をより見易くすることができる。
【００２５】
すなわち、従来の照明装置は固定されており移動できない構成であったが、上記によれば、シェード（20）の下面に突出している摘み部（22）を摘んで前後に摺動させるという簡単な作業だけで、照明装置（15）を所望の位置に移動させることができる。
【００２６】
さらに白色ＬＥＤ（17）を実装した前記基板（16）は、種々部品の実装面と、実装面の反対側に放熱面を持った両面基板であって、上面の放熱面（16ｂ）には放熱効果の高い銅箔パターンを有しているものであり、この構成によって、特に放熱板を使用せずともよく、放熱板の取り付けスペースやコストアップを発生させることなく照明装置を形成することができる。
【００２７】
次に、本発明の他の実施例を前記実施例と同一部分に同一符号を附した図６により説明する。図中（31）は、冷蔵室（３）の背面上部から前方に冷気を吹き出すための天井ダクトであり、照明装置（15）やベース部材（19）を保持しているシェード（20）は、前記天井ダクト（31）に隣接してその前方部分を形成するように配置されている。
【００２８】
冷却器（９）で生成された冷気の一部は冷蔵室の背面ダクト（12）および天井ダクト（31）を通ってその前端に設けた開口（31ａ）からシェード（20）と凹陥部（18）との間の空間に吹き出され、この空間部を通って前端部に設けた吹出口（32）から冷蔵室（３）内に吹き出されるものであるが、このとき、天井ダクト（31）を流通する冷気が空間部に設置されている照明装置（15）部分を流れることによって、実装基板（16）を両面から冷却して放熱を助長することができる。例えば、冷蔵室扉（７）が長時間開扉することでＬＥＤ（17）の点灯時間が長くなり、実装基板（16）の温度が上昇するようなことになっても、閉扉の際には、天井ダクト（31）から凹陥部（18）への冷気流入により実装基板（16）は効果的に冷却され、温度低下をはかることができる。
【００２９】
上記各実施例においては、白色ＬＥＤ（17）と実装基板（16）からなる照明装置（15）を、ベース部材（19）に係止し、このベース部材（19）を冷蔵室天井面（３ａ）に取り付けたシェード（20）のレール（21）に係合させることにより、前後に摺動可能な構成としたが、これに限らず、前記実施例と同一部分に同一符号を附した図６に示すように、前記実施例におけるベース部材自体をシェード（35）として照明装置（15）と実質的に一体に係合するとともに、冷蔵庫天井面（３ａ）の凹陥部（18）を透明体からなる飾り板（36）で閉塞するようにし、前記シェード（35）の両側縁を飾り板（36）の両側縁に形成したレール（37）に係合させることによって照明装置（15）とシェード（35）とを前後方向に摺動させるようにしてもよい。
【００３０】
なお、上記実施例においては、照明装置を配設する貯蔵室を冷蔵室として説明したが、本発明はこれに限るものでなく、下方部に配設した野菜室（５）や冷凍室（６）の室内壁面に前記実施例と同様の構成で設置するようにしてもよいことは言うまでもない。
【図面の簡単な説明】
【００３１】
【図１】本発明の冷蔵庫の１実施例を示す概略縦断面図である。
【図２】図１における照明装置配設部の拡大縦断面図である。
【図３】図２の照明装置のシェードへの組み込み構成を示す斜視図である。
【図４】図２の照明装置部分の拡大図である。
【図５】本発明の他の実施例を示す図２と同一部分の拡大断面図である。
【図６】本発明のさらに他の実施例を示す図３と同一部分の斜視図である。
【図７】本発明の従来例を示す図２と同一部分の縦断面図である。
【符号の説明】
【００３２】
１  冷蔵庫本体
３ａ  内箱天井面
５  冷蔵室
12  ダクト
13、14  載置棚
15  照明装置
16  実装基板
17  白色ＬＥＤ
18  凹陥部
19  ベース部材
19ａ  係止リブ
19ｂ  係合溝
19ｃ  開口
20、35  シェード
20ａ  鍔部
21、37  レール
21ａ  レール溝
22  摘み部
24  ケーブル
31  天井ダクト
32  吹出口
36  飾り板
【図１】
2007285632.tif 000003
【図２】
2007285632.tif 000004
【図３】
2007285632.tif 000005
【図４】
2007285632.tif 000006
【図５】
2007285632.tif 000007
【図６】
2007285632.tif 000008
【図７】
2007285632.tif 000009